(57)【要約】  二つの電気的な機器を接続するための電線（１１０）は、第１のインピーダンス及び所定の第１の長さを有する第１の区間と、第１の区間と接している、第２のインピーダンス及び所定の第２の長さを有する第２の区間とを備えている。相互に接している区間（１２５，１３０）のインピーダンスは異なっている。相互に接している区間（１２５，１３０）の領域においてはインピーダンス変化部（１３５）が存在する。
2014505973.tif 000002
【特許請求の範囲】
【請求項１】
第１のインピーダンス（Ｚ１）及び所定の第１の長さ（Ｌ１）を有する第１の区間（１２５）と、前記第１の区間（１２５）と接している、第２のインピーダンス（Ｚ２）及び所定の第２の長さ（Ｌ２）を有する第２の区間（１３０）とを備えている、二つの電気的な機器を接続するための電線（１１０）において、
相互に接している区間（１２５，１３０）のインピーダンスは異なっており、
該相互に接している区間（１２５，１３０）の領域においてはインピーダンス変化部（１３５）が存在することを特徴とする、電線（１１０）。
【請求項２】
所定の長さを備えた一つ又は複数の別の区間が設けられており、相互に接している区間（１２５，１３０）は一つ置きに異なるインピーダンス（Ｚ１，Ｚ２）を有している、請求項１に記載の電線（１１０）。
【請求項３】
線路（１１０）に沿って交番的なインピーダンス（Ｚ１，Ｚ２）を有している、対になって相互に接している複数の区間（１２５，１３０）が設けられている、請求項２に記載の電線（１１０）。
【請求項４】
線路（１１０）に沿って延在する二つの導体（４０３，４０５，２０５，２３０）が設けられており、該二つの導体（４０３，４０５，２０５，２３０）の間には誘電体（４６０）が配置されており、前記線路（１１０）の相互に接している区間（１２５，１３０）の誘電体は異なる誘電率を有している、請求項１乃至３のいずれか一項に記載の電線（１１０）。
【請求項５】
前記誘電体（４６０）の内の一つは誘電率の高い粒子（４７０）を含んでいる、請求項４に記載の電線（１１０）。
【請求項６】
誘電率の異なる二つの媒体が複数の区間（１２５，１３０）において異なる比率で相互に混合されている、請求項４又は５に記載の電線（１１０）。
【請求項７】
前記導体（２０５，２３０）は相互に同軸に延在している、請求項１乃至６のいずれか一項に記載の電線（１１０）。
【請求項８】
前記導体（４０３，４０５）は相互に撚られている、請求項１乃至６のいずれか一項に記載の電線（１１０）。
【請求項９】
前記相互に接している区間（１２５，１３０）の領域（１３５）は、線路（１１０）の直径よりも短い長さを有している、請求項１乃至８のいずれか一項に記載の電線（１１０）。
【請求項１０】
線路に沿って延在する二つの導体（２０５，２３０，４０３，４０５）を準備するステップ（５０５）と、
誘電率の異なる複数の誘電体を準備するステップ（５１０）と、
所定の長さ（Ｌ１，Ｌ２）の相互に接している区間（１２５，１３０）が異なるインピーダンスを有するように、線路（１１０，２００，４００）に沿った所定の区間（１２５，１３０）において、誘電体を前記導体（２０５，２３０，４０３，４０５）間にそれぞれ設けるステップ（５１５）と
を備えていることを特徴とする、電線（１１０）を製造するための方法（５００）。
【請求項１１】
二つの導体を相互に同軸に延在させ、
前記導体の内の一方（２０５）が他方の導体（２３０）によって包囲される前又は包囲される間に、誘電体を前記導体（２０５，２３０）間に収容する、請求項１０に記載の方法（５００）。
【請求項１２】
二つの導体（４０３，４０５）を相互に撚り、
前記誘電体の内の少なくとも一つを撚った後に初めて設ける、請求項１０に記載の方法（５００）。
【発明の詳細な説明】
【技術分野】
【０００１】
本発明は、請求項１の特徴部分に記載の構成を備えている電線に関する。
【背景技術】
【０００２】
例えば自動車技術、建築技術、システムエンジニアリングにおける電気的な機器の複雑な配線では、複数の電線が狭い空間に敷設されることが多い。配線が変更され、即ち、既存の機器が電線を介して異なるやり方で相互に接続され、新たな機器が追加されるか、又は、既存の機器が取り外される場合には、適切な接続を確立するためには、電線の個別の識別が必要とされることが多い。
【０００３】
識別は例えば、電線の被覆部に設けられているマーキングに基づき行なうことができる。このマーキングに関しては、ラベル及びカラーコーディングが一般的である。電流回路を電線によって形成することによって、電線を電気的に識別することも可能である。一つの実施の形態では、電線の一方の端部において信号発生器が電線の二つの導体と接続されており、電線の他方の端部において信号受信器が電線と接続されている。信号発生器によって形成された信号は直流電圧又は低周波数、有利には可聴領域にある低周波数を有することができる。信号が信号受信器に到達すると、電線がその二つの端部間において識別される。電線の種々の端部の接続は、大規模の配線又はアクセスが容易ではない配線の場合、著しい手間を意味していると考えられる。更に識別の間は、通常の場合、その配線における機器に対して電線を使用することができない。
【発明の概要】
【発明が解決しようとする課題】
【０００４】
従って本発明の課題は、識別を改善することができる電線を提供することである。本発明の別の課題は、電線の製造方法を提供することである。
【課題を解決するための手段】
【０００５】
本発明によれば、それらの課題は、請求項１の特徴部分に記載されている構成を備えている電線及び請求項９に記載の方法ステップを備えている方法によって解決される。
【０００６】
従属請求項には有利な実施の形態が記載されている。
【発明の効果】
【０００７】
二つの電気的な機器を接続するための電線は、第１のインピーダンス及び第１の長さを有している第１の区間と、第２のインピーダンス及び第２の長さを有している第２の区間とを含んでいる。第１の区間は第２の区間と接しており、且つ、相互に接している区間のインピーダンスは異なっているので、相互に接している区間の領域においてはインピーダンスが変化する。
【０００８】
インピーダンス変化の位置を、例えば時間領域反射を用いて測定技術的に検出することができる。それにより、線路の全長及び二つの区間の長さを特定することができる。特定された長さが探すべき線路の所定の長さと一致すると、線路が発見されている。
【０００９】
有利には、電線は幾つかの実施の形態において、前述の識別中に二つの電気的な機器を接続するために動作状態に維持される。更に、識別を迅速に実施することができ、また、通常の場合は、電線の端部の内の一方へのアクセスしか必要とされない。線路がインピーダンス変化の位置を用いて個別にコーディングされており、且つ、所定の周辺環境に十分に固く接続されている場合には、その接続部に接続されている機器が所定の周辺環境内に存在するか否かについて機器を検査することができる。従って、機器の機能もしくは利用を、電気的な接続部の前述の構成によって周辺環境に関連付けることができる。
【００１０】
電線は更に、所定の長さを備えた一つ又は複数の別の区間を有することができ、その際に、相互に接している区間は一つ置きに異なるインピーダンスを有している。これによって、接続部の識別の信頼性を向上させることができる。更に、分岐路を有している電線を識別することも可能である。電線の識別を任意の端部において実施することができる。
【００１１】
二つより多くの区間が設けられている場合には、対になって相互に接している区間は線路に沿って交互に異なるインピーダンスを有することができる。確かに、時間領域反射を用いて、パルス強度を比較することによって、インピーダンス変化の程度を特定することができるが、しかしながら、電線の識別を複数の種々のインピーダンス変化に基づいて実施する必要はない。むしろ、電線に沿った交番的な二つの異なるインピーダンスを使用できれば十分であり、このことは線路の製造の簡略化を実現し、またそれによる製造コストの削減にも有用であると考えられる。
【００１２】
電線は、その線路に沿って延在する二つの導体を含むことができ、その場合に、それらの導体の間には誘電体が配置されており、また線路の相互に接している区間の誘電体は異なる誘電率を有している。これによって、導体自体を変更する必要無く、異なるインピーダンスを電線の隣接する区間に生じさせることが可能である。これによって、既知の電線を基礎とする電線の製造を簡略化することができる。
【００１３】
誘電体の内の一つは誘電率の高い粒子を含むことができる。この誘電性の粒子によって、誘電体の誘電定数を変更することができ、それによって誘電体の領域における線路のインピーダンスを粒子の混合によって所期のように制御することができる。
【００１４】
二つの区間に沿って、異なる誘電率の二つの媒体を異なる比率で相互に混合することができるので、混合比を介して、それらの区間に沿った誘電定数に影響を及ぼすことができる。
【００１５】
一つの実施の形態においては、導体が相互に同軸に延在している。これによってそれらの導体間の誘電体に容易に影響を及ぼすことができるが、しかしながら、誘電体を電線の製造後に変更することはほぼ不可能である。これによって、相応の同軸の線路を内在的にコピー又は不正操作から保護することができる。
【００１６】
第２の実施の形態においては、導体が相互に撚られている。撚られた電気的な導体を廉価に製造することができ、またその種の導体は多くの用途にとって十分な信号伝送特性を有している。電線の製造中又は製造後に、導体の領域に誘電体を設けることができる。従って、電線の識別の可能性を、電線の敷設前、敷設中又は敷設後に適合ないし変更することができる。
【００１７】
有利には、相互に接している区間の領域は電線の直径よりも短い。これによって、一義的な測定を実現するために、相互に接している区間の間のインピーダンス変化部において反射されたパルスの側縁が十分に急峻であることを保証できる。これによって電線の識別可能性を向上させることができる。
【００１８】
電線を製造するための方法は、線路に沿って延在する二つの導体を準備するステップと、誘電率の異なる複数の誘電体を準備するステップと、所定の長さの相互に接している区間が異なるインピーダンスを有するように、線路に沿った所定の区間において誘電体を導体間にそれぞれ設けるステップとを備えている。
【００１９】
このようにして、上述の電線を廉価に製造することができる。ここで、本方法は、製造された電線の多数のバリエーションを製造するには十分にフレキシブルなものであるので、製造された電線の個別の識別を保証することができる。一つの実施の形態においては、二つの異なる誘電体しか使用されず、それら二つの誘電体の内の一方は、いずれにせよ存在する周辺物質、例えば空気である。これによって製造を簡略化することができ、また製造コストを削減することができる。
【００２０】
一つの実施の形態においては、二つの導体が相互に同軸に延在しており、且つ、導体の内の一方が他方の導体によって包囲される前又は包囲される間に、誘電体が導体間に収容される。上記において既に示唆したように、このようにして、偽造及び不正操作に対して内在的に保護されている、識別可能な同軸の電線を製造することができる。
【００２１】
別の実施の形態においては、二つの導体が相互に撚られており、また誘電体の内の少なくとも一つは導体が撚られた後に初めて設けられる。従って、撚られた導体を備えている線路の製造装置を、前述の電線を製造できるようにするために、コストを掛けて適合させる必要はない。
【００２２】
以下では、添付の図面を参照しながら本発明を詳細に説明する。
【図面の簡単な説明】
【００２３】
【図１】複数の機器の配線を示す。
【図２】図１に示した配線のための同軸ケーブルの断面図を示す。
【図３】図２に示した同軸ケーブルの側面図を示す。
【図４】図１に示した配線のためのツイストペアケーブルの側面図を示す。
【図５】図３又は図４に示したケーブルを製造するための方法のフローチャートを示す。
【発明を実施するための形態】
【００２４】
図１には、自動車１０５に搭載されており、また、電線１１０を用いて相互に接続されている複数の機器の配線１００が示されている。この図１は原理図であって、下記において詳細に説明する電線１１０は自動車１０５内の使用に限定されるものではない。むしろ、電線１１０を基本的には任意の電気的な配線において使用することができる。
【００２５】
一つの実施の形態において、電線１１０の目的は、その電線を電気的に識別できることを線路の周辺環境に拡張させることである。これに関して、電線は有利には、電線の交換ないし細工が非常に煩雑であるように周辺環境と機械的に接続されている。例えば、電線１１０を自動車１０５におけるワイヤハーネス内に配置することができる。別の一つの実施の形態においては、電線１１０をビルトインケーブルとして建物の内部に敷設することができるか、又は、三和土内に敷設することができる。
【００２６】
図１に示されている二つの機器１１５，１２０は任意の電気的な機器であって良い。図示されている実施の形態においては、電線１１０の識別が第１の機器１１５側において実施されることを前提とする。そのため、第２の電気機器１２０を省略することも可能である。択一的な実施の形態においては、識別を第２の電気的な機器１２０又は、電線１１０と接続されている別の機器によっても実施することができる。別の機器としては例えば、機器１１５，１２０の内の一つに付加的に、又はその機器と交換されて線路１１０と電気的に接続されているサービス機器又は診断機器が考えられる。
【００２７】
電線１１０は第１の区間１２５及び第２の区間１３０を有している。第１の区間１２５は長さＬ１及びインピーダンスＺ１を有しており、また、第１の機器１１５から第２の区間１３０まで案内されている。第２の区間１３０は長さＬ２及びインピーダンスＺ２を有しており、また、第１の区間１２５から第２の電気的な機器１２０まで案内されている。インピーダンス移行部１３５は、線路１１０において第１の区間１２５が第２の区間１３０と接している個所に形成されている。
【００２８】
電線１１０の識別のために、第１の機器１１５は信号発生器１４０及びサンプリング装置１４０を有しており、それらはいずれも第１の区間１２５における電線１１０の同一の端部に接続されている。線路１１０の識別のために、特に、第１の区間１２５の長さ、第２の区間１３０の長さ、また必要に応じてインピーダンス移行部１３５の大きさが第１の機器１１５によって特定される。代替的な実施の形態においては、第１の電気的な機器１１５が電気的な線路１１０の別の個所とも接続されており、この接続は有利にはインピーダンス移行部１３５からの所定の間隔を空けて行なわれる。
【００２９】
電気的な接続部１１０の識別は以下のように行なわれる：
信号発生器１４０を用いて第１の電気的なパルスが形成され、電線１００の端部に供給される。サンプリング装置１４５はこの第１のパルスを検出することができる。第１のパルスは第１の区間１２５を通って右側に向って伝播し、インピーダンス移行部１３５において部分的に反射される。第１のパルスの反射された部分は第２のパルスを形成し、この第２のパルスは逆方向の左側に向って第１の区間１２５を通って伝播し、サンプリング装置１４５によって時点及び振幅を特定することができる。パルス移行部１３５において反射されなかった第１のパルスの部分は第３のパルスを形成し、この第３のパルスは右側に向って第２の区間１３０に沿って伝播する。第２の区間１３０の端部においては、パルスが第２の機器１２０において同様に部分的に反射され、第４のパルスを形成する。第２の区間１３０の端部と第２の機器１２０との間の反射を改善するために、この領域において別のインピーダンス移行部を確立することは有利であると考えられる。例えば、電気的な機器１２０を電線１１０から隔てることが考えられるか、又は、電線１１０の複数の導体を第２の電気機器１２０において相互に接続することが考えられる。第４のパルスは第２の区間１３０を通って左側に向ってインピーダンス移行部１３５まで伝播し、そのインピーダンス移行部１３５において再度部分的に反射される。第４のパルスの反射されない部分は第５のパルスを形成し、この第５のパルスは第１の区間１２５を通って左側に向って第１の機器１１５まで伝播し、そこにおいてサンプリング装置１４５によって時点及び振幅を検出することができる。
【００３０】
第１のパルスと、サンプリング装置１４５においてサンプリングされた他のパルスとの時間間隔から、電線１１０に沿った信号伝播速度の知識の下で、第１の区間１２５の長さ及び電線１１０の長さが特定される。減算によってそれらの長さから第２の区間１３０の長さを特定することができる。
【００３１】
電線１１０は、区間１２５の長さＬ１及び区間１３０の長さＬ２がその線路１１０にとって特徴的であるように構成されている。それぞれが所定の長さを有している、区間１２５の長さＬ１と区間１３０の長さＬ２とが一致する場合、電線１１０は識別されている。電線１１０が分離不可能に自動車１０５と接続されているか、もしくは別の周辺環境と接続されている場合には、このようにして機器１１５によって、機器１１５が所定の自動車１０５に搭載されているか否かを特定することができる。この特定から、電気的な機器１１５の動作方式もしくは動作状態を導出することができる。例えば、所定のものではない自動車１０５に搭載されている機器１１５の動作を拒否することができる。
【００３２】
電線１１０の区間１２５及び１３０の長さの上記のような特定を、接続部１１０の相互に接している区間１２５，１３０の任意の数及び配置構成に一般化することができる。その場合、個々の区間の間の分岐、それどころかループは既述の識別の障害にはならない。勿論、電線１１０のどの個所に第１の機器１１５が接続されているかに応じて、電気的な接続部１１０の区間１２５，１３０の特定される長さは異なっているか、又は、それらの区間は異なる配置構成にある。
【００３３】
図２には、図１に示した電線１１０に対応する同軸ケーブル２００の断面図を示す。同軸ケーブル２００は内側導体２０５を含み、この内側導体２０５は内側絶縁素子２１０によって半径方向において包囲されている。内側絶縁素子２１０からは外側絶縁素子２２０まで半径方向に複数のウェブ２１５が延びている。ウェブ２１５と絶縁素子２１０，２２０との間には空所が形成されている。外側絶縁素子２２０は半径方向において外側導体２３０によって包囲されており、この外側導体２３０自体は保護ジャケット２３５によって包囲されている。
【００３４】
空所２２５は公知の同軸ケーブル（例えばAirCom Plus）では空気又は他の気体が充填されている。空所２２５に収容される媒体は、線路２０５と線路２３０との間に配置されており、且つ、その誘電率を介して同軸ケーブル２００のインピーダンスに影響を及ぼす誘電体として作用する。同軸ケーブルの軸方向の区間において、空気もしくは他の気体とは異なる誘電率を有している材料が空所２２５に充填されると、同軸ケーブル２００はその区間では変更されたインピーダンスを有している。従って、同軸ケーブル２００の隣接する軸方向の区間へのインピーダンス移行部が生じる。択一的に、例えばケーブルの誘電体を形成する断熱発泡体における発泡剤濃度を変化させることによって、複数の区間において異なる媒体の百分率を種々の高さにすることができる。
【００３５】
図３には、図２に示した同軸ケーブル２００の側面図が示されている。軸方向において同軸ケーブル２００が複数の区間３１０−３７０に分割されている。ここで、それぞれが対になって区間３１０−３４０の間に位置している区間３５０−３７０においては、誘電体が空所２２５に充填されており、その誘電体の誘電率は区間３１０−３４０の空所２２５における誘電体の誘電率とは異なっている。従って、同軸ケーブル２００の軸方向の延長部に沿って、インピーダンス移行部がそれぞれ相互に接している二つの区間３１０−３７０の間に生じる。
【００３６】
同軸ケーブル２００を製造の範囲において、規則的又は不規則な間隔を置いて空所２２５に種々の誘電体を充填することができる。第１の誘電体には空気又は絶縁発泡体を含ませ、その一方で第２の誘電体には、例えばセラミックから成る誘電率の高い粒子が混合されている物質を含ませることができる。
【００３７】
図４には、図１に示した電線１１０に対応するツイストペアケーブル４００の側面図が示されている。図２に応じて、ツイストペアケーブル４００は機器１１５と別の機器１２０との間に接続されている。ツイストペアケーブル４００は相互に撚られた二つの導体４０３，４０５を含んでおり、また、複数の区間４１０−４５０に分割されている。区間４４０及び４５０はそれぞれ対になって区間４１０−４３０の間に設けられている。
【００３８】
区間４４０及び４５０においては、ツイストペアケーブル４００が、誘電率の高い粒子４７０が混合されている物質４６０によって包囲されている。有利には、物質４６０はプラスチック又は接着剤、例えば熱接着剤もしくは、例えばポリエステルベース、アクリルベース又はエポキシベースの２成分接着剤である。
【００３９】
択一的な実施の形態においては、物質４６０も例えば固定クランプによって形成することができ、それらの固定クランプによってツイストペアケーブル４００自体をクランプすることができる、及び／又は、ツイストペアケーブル４００をその周辺環境に固定することができる。
【００４０】
区間４４０及び４５０においては、誘電体のような粒子４７０を有する物質４６０が作用するので、ツイストペアケーブル４００のインピーダンスはそれらの区間において他の区間４１０−４３０とは異なっている。隣接する区間４１０−４５０の間の移行部にはインピーダンス移行部が存在し、それらの移行部においてはツイストペアケーブル４００を伝播するパルスが部分的に反射される。
【００４１】
図５には、図３又は図４に示したケーブル３００又は４００に対応する電線１１０を製造するための方法５００のフローチャートが示されている。
【００４２】
第１のステップ５０５においては、後に線路１１０，２００又は４００に沿って延在すべき導体が準備される。同軸ケーブル２００の場合には、導体は内側導体２０５及び外側導体２３０を含んでいる。ツイストペアケーブル４００の場合には、導体４０３及び４０５を含んでいる。電線１１０は二つより多くの導体２０５，２３０，４０３，４０５を含むこともでき、それらの導体はステップ５０５において準備され、続いて電線１１０，２００，４００において組み立てられる。
【００４３】
後続のステップ５１０においては、誘電率の異なる複数の誘電体が準備される。一つの実施の形態においては、異なる誘電体が二つだけ使用され、それらの誘電体の内の一方が、準備された導体２０５，２３０，４０３，４０５の領域にいずれにせよ存在している媒体を含んでいる。特に、その媒体は空気、絶縁発泡体、プラスチック又はプラスチックと空気の所定の配置構成を含むことができる。別の一つの実施の形態においては、同一の物質４６０に誘電率の高い粒子４７０を異なる割合で混合することによって、種々の複数の誘電体が準備される。異なる粒子４７０を使用することもできる。
【００４４】
後続のステップ５１５においては、誘電体が線路１１０に沿った所定の区間１２５，１３０，３１０−３７０，４１０−４５０において、所定の長さＬ１，Ｌ２の相互に接している区間１２５，１３０，３１０−３７０，４１０−４５０が異なるインピーダンスＺ１，Ｚ２を有するように、導体２０５，２３０，４０３，４０５の間にそれぞれ設けられる。一つの実施の形態においては、区間１２５，１３０，３１０−３７０，４１０−４５０の長さＬ１，Ｌ２をランダム制御することができる。
【００４５】
以上で方法５５０は終了する。工業的な基準での電線１１０，２００，４００の製造時に、通常の場合は、非常に長い、又はそれどころかもはや制限されていない長さの電線１１０が生産され、その線路１１０が方法５００の後続のステップにおいて適切な長さに切断され、必要に応じて端部に電気的なコンタクトが設けられる。
【図１】
2014505973.tif 000003
【図２】
2014505973.tif 000004
【図３】
2014505973.tif 000005
【図４】
2014505973.tif 000006
【図５】
2014505973.tif 000007
【手続補正書】
【提出日】平成25年6月28日(2013.6.28)
【手続補正１】
【補正対象書類名】特許請求の範囲
【補正対象項目名】全文
【補正方法】変更
【補正の内容】
【特許請求の範囲】
【請求項１】
第１のインピーダンス（Ｚ１）及び所定の第１の長さ（Ｌ１）を有する第１の区間（１２５）と、前記第１の区間（１２５）と接している、第２のインピーダンス（Ｚ２）及び所定の第２の長さ（Ｌ２）を有する第２の区間（１３０）とを備えている、二つの電気的な機器を接続するための電線（１１０）において、
相互に接している区間（１２５，１３０）のインピーダンスは異なっており、
該相互に接している区間（１２５，１３０）の領域においてはインピーダンス変化部（１３５）が存在することを特徴とする、電線（１１０）。
【請求項２】
所定の長さを備えた一つ又は複数の別の区間が設けられており、相互に接している区間（１２５，１３０）は一つ置きに異なるインピーダンス（Ｚ１，Ｚ２）を有している、請求項１に記載の電線（１１０）。
【請求項３】
前記電線（１１０）に沿って交番的なインピーダンス（Ｚ１，Ｚ２）を有している、対になって相互に接している複数の区間（１２５，１３０）が設けられている、請求項２に記載の電線（１１０）。
【請求項４】
前記電線（１１０）に沿って延在する二つの導体（４０３，４０５，２０５，２３０）が設けられており、該二つの導体（４０３，４０５，２０５，２３０）の間には誘電体（４６０）が配置されており、前記電線（１１０）の相互に接している区間（１２５，１３０）の誘電体は異なる誘電率を有している、請求項１乃至３のいずれか一項に記載の電線（１１０）。
【請求項５】
前記誘電体（４６０）の内の一つは誘電率の高い粒子（４７０）を含んでいる、請求項４に記載の電線（１１０）。
【請求項６】
誘電率の異なる二つの媒体が複数の区間（１２５，１３０）において異なる比率で相互に混合されている、請求項４又は５に記載の電線（１１０）。
【請求項７】
前記導体（２０５，２３０）は相互に同軸に延在している、請求項１乃至６のいずれか一項に記載の電線（１１０）。
【請求項８】
前記導体（４０３，４０５）は相互に撚られている、請求項１乃至６のいずれか一項に記載の電線（１１０）。
【請求項９】
前記相互に接している区間（１２５，１３０）の領域（１３５）は、前記電線（１１０）の直径よりも短い長さを有している、請求項１乃至８のいずれか一項に記載の電線（１１０）。
【請求項１０】
電線に沿って延在する二つの導体（２０５，２３０，４０３，４０５）を準備するステップ（５０５）と、
誘電率の異なる複数の誘電体を準備するステップ（５１０）と、
所定の長さ（Ｌ１，Ｌ２）の相互に接している区間（１２５，１３０）が異なるインピーダンスを有するように、前記電線（１１０，２００，４００）に沿った所定の区間（１２５，１３０）において、誘電体を前記導体（２０５，２３０，４０３，４０５）間にそれぞれ設けるステップ（５１５）と
を備えていることを特徴とする、電線（１１０）を製造するための方法（５００）。
【請求項１１】
二つの導体を相互に同軸に延在させ、
前記導体の内の一方（２０５）が他方の導体（２３０）によって包囲される前又は包囲される間に、誘電体を前記導体（２０５，２３０）間に収容する、請求項１０に記載の方法（５００）。
【請求項１２】
二つの導体（４０３，４０５）を相互に撚り、
前記誘電体の内の少なくとも一つを前記導体が撚られた後に初めて設ける、請求項１０に記載の方法（５００）。
【国際調査報告】
2014505973.tif 000008
2014505973.tif 000009
2014505973.tif 000010
2014505973.tif 000011